【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
自動販売機の展示部の架台部に取り付けられる見本体が、販売する商品を包装し蓋を備えた容器の形状を有する部材を軸心を通る面で縦に割った形状の本体と、この本体の下部に連設され、かつ前記架台部に設けられたほぼ円形状の開口に係止させる挿入部とからなり、この挿入部には、上側から順に、横断面視ほぼＣ字形状の小径部分と、この小径部分の外周面よりも外側へ突出し前記開口に係止させることが可能な突条となる係止部と、底面とが形成されており、前記本体の左右側面を内側へ付勢して変形させることによって、前記見本体が前記開口に対して着脱自在となるように構成してある見本体の取付け構造であって、さらに、前記見本体の左右両側全域に後方に向かって延びる延長部分を形成してあることを特徴とする見本体の取付け構造。
【請求項２】
請求項１に記載の見本体の取付け構造を備えた自動販売機。
【請求項３】
自動販売機の展示部の架台部に取り付けられる見本体が、販売する商品を包装し蓋を備えた容器の形状を有する部材を軸心を通る面で縦に割った形状の本体と、この本体の下部に連設され、かつ前記架台部に設けられたほぼ円形状の開口に係止させる挿入部とからなり、この挿入部には、上側から順に、横断面視ほぼＣ字形状の小径部分と、この小径部分の外周面よりも外側へ突出し前記開口に係止させることが可能な突条となる係止部と、底面とを形成し、前記本体の左右側面を内側へ付勢して変形させることによって、前記見本体を前記開口に対して着脱自在に取り付ける見本体の取付け方法であって、さらに、前記見本体の左右両側全域に後方に向かって延びる延長部分を形成することを特徴とする見本体の取付け方法。
【請求項４】
販売する商品を包装し蓋を備えた容器の形状を有する部材を軸心を通る面で縦に割った形状の本体と、この本体の下部に連設され、かつ自動販売機の展示部の架台部に設けられたほぼ円形状の開口に係止させる挿入部とからなり、この挿入部には、上側から順に、横断面視ほぼＣ字形状の小径部分と、この小径部分の外周面よりも外側へ突出し、前記架台部に設けられたほぼ円形状の開口に係止させることが可能な突条となる係止部と、底面とが形成されており、前記本体の左右側面を内側へ付勢して変形させることによって、前記開口に対して着脱自在となるように構成してある見本体であって、さらに、その左右両側全域に後方に向かって延びる延長部分が形成されているとともに、前記小径部分の外径を前記開口の内径よりも大きくしてあることを特徴とする見本体。
【手続補正２】
【補正対象書類名】明細書
【補正対象項目名】全文
【補正方法】変更
【補正の内容】
【発明の詳細な説明】
【発明の名称】見本体の取付け構造及び取付け方法並びに自動販売機及び見本体
【技術分野】
【０００１】
本発明は、自動販売機内に取り付けられる見本体の取付け構造及び取付け方法並びに自動販売機及び見本体に関する。
【背景技術】
【０００２】
ジュース、コーヒー、ビールなどの飲物や、たばこ、カメラおよびカメラのフィルムなどの商品を販売するための自動販売機には、それらの商品の見本体を展示するための展示部が設けられている。そして、たとえば円筒を縦に半分に割った形状の見本体９（いわゆるハーフ体）は、図１３に示すように、見本体９の背面に見本体９よりも上下左右の幅が大きい取り付け板１０を固定し、この取り付け板１０の背面に係止部１１、１１を設けて、展示部３の背面部３ｂに形成された開口１２に前記係止部１１、１１を係止させることで、見本体９を展示部３に取り付けるようにしていた。
【０００３】
また、円筒状の通常の見本体においては、図１４に示すように、見本体１６の底面に挿抜筒１７が一体に突設されている。この挿抜筒１７は、先端外周縁に外方に向けて一対の止め片１８，１８が突設されているとともに、その挿抜筒１７の胴部１７ａには一対の板ばね状の弾性を有する節度片１９，１９が同一円周上に形成されている。各節度片１９には、その外側面に節度用凸部２０が一体に形成されていた。
【０００４】
一方、ステージ２１には、挿抜筒１７が嵌まり合うように全体を円形に成形したダミー体取付孔２２が開口されている。この取付孔２２は、挿抜筒１７の止め片１８，１８に対応する位置に止め片挿抜切欠２３，２３を有するとともに、節度用凸部挿入切欠２４，２４およびこの切欠２４，２４に隣り合う節度用凹部２５，２５を有していた。
【０００５】
そこで、見本体１６をステージ２１に固定するには、取付孔２２の止め片挿抜切欠２３，２３に見本体１６の止め片１８，１８を整合させて挿抜筒１７を取付孔２２に挿入すると、ステージ２１の裏面側に止め片１８，１８が挿入され、同時に挿抜筒１７の節度用凸部２０，２０が取付孔２２の節度用凸部挿入切欠２４，２４に嵌まる。
【０００６】
続いて、見本体１６を回転させると、止め片１８，１８はステージ２１の裏面側で止め片挿抜切欠２３，２３から外れた位置に移動して、見本体１６を抜き取り不能にできる。同時に、挿抜筒１７の節度用凸部２０，２０が切欠２４，２４から隣り合う節度用凹部２５，２５に嵌まり合い見本体１６の回り止めを可能としていた。
【発明の開示】
【発明が解決しようとする課題】
【０００７】
しかし、図１３に示した構成からなる見本体では、取り付け板１０を用いていたことから、その分の材料を節約することができずコストが高くなり、また、見本体９よりも上下左右の幅が一回り大きい取り付け板１０に見本体９を固定していたことから、見本体９のみを取り付ける場合に比べて一回り大きなスペースを必要とし、さらに、正面から見ると、前記取り付け板１０が見本体９の上下左右からはみ出ているため、消費者などに洗練された印象を与えず、商品の売り上げに悪影響を及ぼすおそれがあるという問題があった。
【０００８】
図１４に示した構成からなる見本体では、構造が非常に複雑であり、底部の形状、寸法に高い精度が要求される。このため射出成形を用いて成形する必要があり、コストが高くなるとともに、生産スピードが上がらないという問題があった。
【０００９】
また、近年、容器の形状が複雑になり、缶も単純な円筒形から上部を絞ったネックイン缶が増えている。さらに、ペットボトルが普及し、形状はますます複雑かつ多様になってきている。
【００１０】
本発明は上述の事柄に留意してなされたもので、その目的は、複雑な形状の容器にも対応でき、コストを低くすることができるとともに、見本体を強い力でかつ確実に展示部に固定し、安定した状態で設置できる見本体の取付け構造及び取付け方法並びに自動販売機及び見本体を提供することである。
【課題を解決するための手段】
【００１１】
上記目的を達成するために、本発明の見本体の取付け構造は、自動販売機の展示部の架台部に取り付けられる見本体が、販売する商品を包装し蓋を備えた容器の形状を有する部材を軸心を通る面で縦に割った形状の本体と、この本体の下部に連設され、かつ前記架台部に設けられたほぼ円形状の開口に係止させる挿入部とからなり、この挿入部には、上側から順に、横断面視ほぼＣ字形状の小径部分と、この小径部分の外周面よりも外側へ突出し前記開口に係止させることが可能な突条となる係止部と、底面とが形成されており、前記本体の左右側面を内側へ付勢して変形させることによって、前記見本体が前記開口に対して着脱自在となるように構成してある見本体の取付け構造であって、さらに、前記見本体の左右両側全域に後方に向かって延びる延長部分を形成してある（請求項１）。
【００１２】
また、本発明の自動販売機は、請求項１に記載の見本体の取付け構造を備えている（請求項２）。
【００１３】
さらに、本発明の見本体の取付け方法は、自動販売機の展示部の架台部に取り付けられる見本体が、販売する商品を包装し蓋を備えた容器の形状を有する部材を軸心を通る面で縦に割った形状の本体と、この本体の下部に連設され、かつ前記架台部に設けられたほぼ円形状の開口に係止させる挿入部とからなり、この挿入部には、上側から順に、横断面視ほぼＣ字形状の小径部分と、この小径部分の外周面よりも外側へ突出し前記開口に係止させることが可能な突条となる係止部と、底面とを形成し、前記本体の左右側面を内側へ付勢して変形させることによって、前記見本体を前記開口に対して着脱自在に取り付ける見本体の取付け方法であって、さらに、前記見本体の左右両側全域に後方に向かって延びる延長部分を形成する（請求項３）。
また、本発明の見本体は、販売する商品を包装し蓋を備えた容器の形状を有する部材を軸心を通る面で縦に割った形状の本体と、この本体の下部に連設され、かつ自動販売機の展示部の架台部に設けられたほぼ円形状の開口に係止させる挿入部とからなり、この挿入部には、上側から順に、横断面視ほぼＣ字形状の小径部分と、この小径部分の外周面よりも外側へ突出し、前記架台部に設けられたほぼ円形状の開口に係止させることが可能な突条となる係止部と、底面とが形成されており、前記本体の左右側面を内側へ付勢して変形させることによって、前記開口に対して着脱自在となるように構成してある見本体であって、さらに、その左右両側全域に後方に向かって延びる延長部分が形成されているとともに、前記小径部分の外径を前記開口の内径よりも大きくしてある（請求項４）。
【発明の効果】
【００１４】
上記の構成により、複雑な形状の容器にも対応でき、コストを低くすることができるとともに、見本体を強い力でかつ確実に展示部に固定し、安定した状態で設置できる見本体の取付け構造及び取付け方法並びに自動販売機及び見本体を提供することが可能となる。
【発明を実施するための最良の形態】
【００１５】
以下、参考例及び実施例について、図を参照しながら説明する。
図１は、第一参考例に係る見本体Ｄが取り付けられる自動販売機１の構成を概略的に示す斜視図であり、図２および図３は、見本体Ｄの構成を概略的に示す斜視図および縦断面図である。
自動販売機１は、商品補充のために開閉自在に設けられた扉２を前面に有している。この扉２の上部には、見本体Ｄ，Ｄ…を展示するための展示部３が設けられている。見本体Ｄ，Ｄ…の表面には、商品を示す図柄が印刷されているか、または図柄を印刷したラベルが貼付などの手段により保持されている（図示せず）。各展示部３の下部には、各見本体Ｄに関連付けて商品選択用の押しボタン２ａ，２ａ…が配置され、また、前記自動販売機１の前面下部には、商品取り出し口２ｂが設けられている。なお、２ｃは硬貨投入口、２ｄは紙幣投入口、２ｅは釣り銭口、２ｆは釣り銭返却用の操作レバーである。
【００１６】
前記展示部３には、見本体Ｄを支えるための架台部３ａと、この架台部３ａに連設された背面部３ｂと、前記架台部３ａの下方に配置された光源４とが設けられており、前記架台部３ａには、見本体Ｄの挿入部５が挿入される平面視が前記挿入部５とほぼ同じ形状である開口３’が、適宜の間隔をおいて複数設けられている。また、前記光源４は、たとえば蛍光灯であり、光源４からの光は、前記開口３’を経て、前記見本体Ｄの本体６に照射され、この照射により、本体６がライトアップされることになる。
【００１７】
見本体Ｄは、たとえばポリプロピレン、ポリカーボネート、ポリエチレンテレフタレート（ＰＥＴ）などの樹脂で形成されており、壜タイプの飲料容器に対応する形状をしている。
【００１８】
そして、前記見本体Ｄは、蓋（上壁部）および底（下壁部）を有する壜タイプの容器に対応する形状の部材を縦に割った形状をしている本体６と、この本体６の下側に連設され、かつ前記展示部３内に設けられた開口３’に挿入される挿入部５とからなり、この挿入部５の外周には、自動販売機１内に設けられた展示部３の開口３’に係止させることが可能な係止部７が形成されており、本体６下部の左右側面を内側へ付勢して変形させることによって、自動販売機１の展示部３に対して着脱自在となるように構成されている。
【００１９】
前記本体６の表面には、商品を示す図柄が印刷されているか、または図柄を印刷したラベルが貼付などの手段により保持されている（図示せず）。
【００２０】
前記係止部７は、図３に示すように、挿入部５の外周面よりも外側へ突出した形状で横断面視ほぼＣ字形状となっている。
【００２１】
図４は、見本体Ｄの構成を概略的に示す部分拡大斜視図である。
上記の構成からなる見本体Ｄを自動販売機１の展示部３内に取り付けるには、まず、見本体Ｄの本体６下部の左右両側を内側へ付勢して変形させる。このとき、挿入部５は、上下に長く、かつ左右の幅が細くなった状態となり、開口３’に対して簡単に挿入することができる。そして、挿入部５および係止部７を開口３’に挿入した後、前記付勢をやめると、変形していた本体６下部および挿入部５がその弾性によってほぼ元の形状に復元することから、前記係止部７が開口３’に係止され、見本体Ｄが展示部３に取り付けられることになる。
【００２２】
なお、図５に示すように、前記本体６と前記係止部７との間に形成される小径部分１３の外径ｄ1 が、展示部３の開口３’の内径ｄ2 とほぼ同じか、または、内径ｄ2 よりも若干小さい場合には、前記小径部分１３を完全に元の形状に復元させた状態で開口３’内に挿入しておくことができ、このときには、小径部分１３の上側にある本体６の側面および上部を完全に復元した状態で見本体Ｄを展示部３に取り付けることができる。ここで、前記外径ｄ1 は、見本体Ｄを形成する前（切り落とし前）の筒形状（円筒形状）の部材の小径部分１３に相当する部分の外径のことを指す。
【００２３】
また、前記外径ｄ1 が、前記内径ｄ2 よりも大きい場合には、前記小径部分１３は、左右の幅が細くなる若干の変形を残した状態でなければ開口３’内に留まっておくことができない。このため、開口３’内に挿入された小径部分１３は、常に元の形状に復元しようとし、この小径部分１３の復元力によって、開口３’の周縁部に対する小径部分１３の当接はより強くなり、展示部３に対する見本体Ｄの固定がより強い力でかつ確実に行われるようになる。
【００２４】
ここで、開口３’内に挿入された状態の小径部分１３の変形が本体６の側面および上部の形状に影響を与えうる場合には、小径部分１３の外径ｄ1 の大きさを、例えば前記開口３’の内径ｄ2 よりもほんの少しだけ大きくなるようにするなど、適宜に設定して、本体６の側面および上部の形状に支障が出ないようにすることもできる。
【００２５】
そして、自動販売機１の展示部３内に取り付けられた見本体Ｄを取り外すには、見本体Ｄに対して上記と同様の付勢を加えて変形させ、開口３’から挿入部５および係止部７を引き抜くだけでよい。
【００２６】
上記の構成からなる見本体Ｄでは、自動販売機１に対する取り付けおよび取り外しが非常に簡単になる。
【００２７】
また、上記の構成からなる見本体Ｄでは、本体６の下側に設けられた挿入部５の係止部７より上の部分が、開口３’の周縁部に当接することによって、見本体Ｄが前後左右に動くことが防止され、また、開口３’の上側に本体６を位置させ、かつ開口３’の下側に係止部７を位置させて、開口３’を本体６および係止部７で挟む構成としていることから、見本体Ｄが上下に動くことが防止される。
【００２８】
さらに、上記の構成からなる見本体Ｄでは、材料が少なくてすむため、コストを低くすることができ、さらに、シンプルな構成であることから、取り付け・取り外しの作業が非常に簡単になり、取り付けのためのスペースを少なくすることが可能であり、かつ消費者などに良いイメージを与え、商品の売り上げに寄与することができる。
【００２９】
なお、上記の構成からなる見本体Ｄは、壜タイプの容器に対応する形状の部材を、その軸心（中央）よりも後側の位置で縦に割り、後側の部分を切り落とした形状としてあるが、このような構成に限るものではなく、たとえば、壜タイプの容器に対応する形状の部材を、その軸心（中央）よりも前側よりの位置で縦に割り、後側の部分を切り落とした形状とすることで形成されているとしてもよく、壜タイプの容器に対応する形状の部材を、その軸心（中央）を通る位置で縦に割り、後側の部分を切り落とした形状とすることで形成されているとしてもよい。
【００３０】
また、前記開口３’が、前記挿入部５の平面視とほぼ同じ形状（例えば、ほぼ半円形状）および大きさとなっているのではなく、図６（Ａ）に示すように、見本体Ｄを壜タイプの容器に対応する形状に形成した場合の挿入部５に相当する部分の平面視とほぼ同じ形状（例えば、ほぼ円形状）および大きさとなっていてもよく、また、見本体Ｄの挿入部５を挿入でき、かつ前記挿入部５のその後面部分以外の部分のみをほぼ密着させることができる形状および大きさとなっていてもよい。この場合には、見本体Ｄの挿入部５が開口３’の前側に寄るように取り付ければよく、このように取り付けることによって、見本体Ｄと背面部３ｂとの間に隙間が形成されても、見本体Ｄの見栄えなどに不具合が生じることはほとんどない。
【００３１】
このように、前記見本体Ｄの挿入部５を挿入する開口３’の大きさおよび形状は、広い範囲から選択・設定することが可能であるとともに、見本体Ｄを設置可能とする自動販売機１は、見本体Ｄの挿入部５を挿入するための見本体Ｄ専用の開口３’が設けられたものに限られず、筒形状や筒部材を縦に半分に割った形状をした従来の見本体が設置されている一般的な自動販売機などでも構わないのであり、これにより、見本体Ｄの汎用性が高まり、見本体Ｄ専用の開口３’を有しない多くの自動販売機に設置可能となるとともに、見本体Ｄ専用の開口３’を設けなくとも設置可能となるケースが増えることから、見本体Ｄ専用の開口３’を設ける手間とコストを節約することができ、簡単かつ低コストで見本体Ｄを設置することが可能となる。
【００３２】
図７は、第二参考例に係る見本体Ｄ2 の構成を概略的に示す部分拡大斜視図である。なお、上記第一参考例に示したものと同一構造の部材には、同じ符号を付し、その説明を省略する。
見本体Ｄ2 は、上記第一参考例の見本体Ｄと比べて、壜タイプの飲物容器に対応した形状ではなく、円筒形状の缶タイプの飲物容器に対応した形状をしている点と、底を有していない点とで異なっている。また、見本体Ｄ2 が有する効果は、上記第一参考例の見本体Ｄが有する効果とほとんど同じであるため、その説明を省略する。
【００３３】
図８は、第三参考例に係る見本体Ｄ3 の構成を概略的に示す部分拡大斜視図である。なお、上記二つの参考例に示したものと同一構造の部材には、同じ符号を付し、その説明を省略する。
見本体Ｄ3 は、上記第一参考例の見本体Ｄと比べて、壜タイプの飲物容器に対応した形状ではなく、インスタントカメラ・ワンウェイカメラやタバコケースに対応した形状をしている点で異なる。
【００３４】
見本体Ｄ3 は、蓋（上壁部）および底（下壁部）を有するほぼ角筒形状の部材をほぼ縦半分に割った形状をしており、上記第一参考例の見本体Ｄと同様に、本体６と、この本体６の下側に連設された挿入部５とを有している。なお、見本体Ｄの本体６および挿入部５と、見本体Ｄ3 の本体６および挿入部５とは、形状が異なるのみであり、その他の構成、機能および効果などは同じであるので、その説明は省略する。また、自動販売機１の開口３’の形状も、見本体Ｄ3 の挿入部５に対応していることはいうまでもない。さらに、前記ほぼ角筒形状の部材は、その外面に、例えば、突起部分や溝部分などが形成されていてもよい。
【００３５】
なお、前記開口３’は、前記挿入部５の平面視とほぼ同じ形状（例えば、ほぼ長方形状）および大きさに限るものではない。図６（Ｂ）に示すように、見本体Ｄ3 をほぼ筒形状（角筒形状）として形成した場合の挿入部５に相当する部分の平面視とほぼ同じ形状（例えば、ほぼ正方形状）および大きさとなっていてもよく、また、見本体Ｄ3 の挿入部５を挿入でき、かつ前記挿入部５のその後面部分以外の部分またはその前側部分のみをほぼ密着させることができる形状および大きさとなっていてもよい。この場合には、見本体Ｄ3 の挿入部５が開口３’の前側に寄るように取り付ければよく、このように取り付けることによって、見本体Ｄ3 と背面部３ｂとの間に隙間が形成されても、見本体Ｄ3 の見栄えなどに不具合が生じることはほとんどない。
【００３６】
このように、前記見本体Ｄ3 の挿入部５を挿入する開口３’の大きさおよび形状は、広い範囲から選択・設定することが可能であるとともに、見本体Ｄ3 を設置可能とする自動販売機１は、見本体Ｄ3 の挿入部５を挿入するための見本体Ｄ3 専用の開口３’が設けられたものに限られず、筒形状や筒部材を縦に半分に割った形状をした従来の見本体が設置されている一般的な自動販売機などでも構わないのであり、これにより、見本体Ｄの汎用性が高まり、見本体Ｄ3 専用の開口３’を有しない多くの自動販売機に設置可能となるとともに、見本体Ｄ3 専用の開口３’を設けなくとも設置可能となるケースが増えることから、見本体Ｄ3 専用の開口３’を設ける手間とコストを節約することができ、簡単かつ低コストで見本体Ｄ3 を設置することが可能となる。
【００３７】
見本体Ｄ3 が有するその他の効果は、前記第一参考例の見本体Ｄが有する効果とほとんど同じであるため、その説明を省略する。
【００３８】
図９は、第四参考例に係る見本体Ｄ4 の構成を概略的に示す部分拡大斜視図である。なお、上記全ての参考例に示したものと同一構造の部材には、同じ符号を付し、その説明を省略する。
見本体Ｄ4 は、押出中空成形法によって成形されたものであり、上記第一参考例の見本体Ｄと比べて、成形後に残ったピンチオフの跡８を補強リブとして利用している点で異なる。前記ピンチオフの跡８が残った部分は、肉圧が大きくなることから、その部分の強度が必然的に大きくなることになる。このような構成から、見本体Ｄ4 は、上記第一参考例の見本体Ｄが有する効果に加えて、強度をより大きくすることができるという効果を得ることができる。
【００３９】
また、前記ピンチオフの跡８を、見本体Ｄ4 の左右方向に長くなるように形成することにより、見本体Ｄ4 は、左右方向に細くする付勢を受けたときに、より強い力で元の形状に戻ろうとするようになる。従って、前記挿入部５を開口３’の下方に挿入して見本体Ｄ4 を展示部３に取り付けたときに、開口３’に対して係止部７をより強い力で係止させることができるようになる。また、前記小径部分１３の外径ｄ1 を、開口３’の内径ｄ2 よりも大きくした場合には、開口３’の周縁部に対する小径部分１３の当接がより強い力で行われることになる。
【００４０】
図１０は、第五参考例に係る見本体Ｄ5 の構成を概略的に示す部分拡大斜視図である。なお、上記全ての参考例に示したものと同一構造の部材には、同じ符号を付し、その説明を省略する。
見本体Ｄ5 は、上記第一参考例の見本体Ｄと比べて、下面に補強リブ８’が設けられている点で異なる。
【００４１】
なお、図１０には、前記補強リブ８’の数が二つのものを示しているが、このような構成に限るものではなく、前記補強リブ８’を一つとしてもよいし、三つとしてもよい。もちろん、前記補強リブ８’を四つ以上としてもよいが、補強リブ８’の数は、１〜３のいずれかとすることが望ましい。また、補強リブ８’の断面形状は、図１０の部分拡大図に示すように、ほぼ半円形状や、山形状に限られず、例えば、先端側が細くなる三角形状や台形状、矩形状などでもよい。
【００４２】
上記の構成からなる見本体Ｄ5 では、前記補強リブ８’によって、見本体Ｄ5 の下部の強度が必然的に大きくなることになる。このような構成から、見本体Ｄ5 によれば、上記第一参考例の見本体Ｄが有する効果に加えて、強度をより大きくすることができるという効果を得ることができる。
【００４３】
また、前記補強リブ８’を、見本体Ｄ5 の左右方向に長くなるように形成することにより、見本体Ｄ5 は、左右方向に細くする付勢を受けたときに、より強い力で元の形状に戻ろうとするようになる。従って、見本体Ｄ5 の挿入部５を開口３’の下方に挿入して見本体Ｄ5 を展示部３に取り付けたときに、開口３’に対して係止部７をより強い力で係止させることができるようになる。また、前記小径部分１３の外径ｄ1 を、開口３’の内径ｄ2 よりも大きくした場合には、開口３’の周縁部に対する小径部分１３の当接がより強い力で行われることになる。
【００４４】
見本体Ｄ5 の左右方向に長くなるように設けられた補強リブ８’を複数設ける場合には、複数の補強リブ８’，８’…を、例えば、見本体Ｄ5 の前後方向に適宜の間隔をあけて設ければよい。
【００４５】
図１１（Ａ）および（Ｂ）は、本発明の実施例に係る見本体Ｄ6 の構成を概略的に示す説明図である。なお、上記全ての参考例に示したものと同一構造の部材には、同じ符号を付し、その説明を省略する。
見本体Ｄ6 は、上記第一参考例の見本体Ｄと比べて、左右両側に後方へ向かって延びる延長部分１４，１４が形成されている点で異なる。
【００４６】
より詳しくは、見本体Ｄ6 は、壜タイプの容器に対応する形状の部材を、その軸心（中央）を通る面で縦に割り、後側の部分を切り落とした形状とした第一参考例の見本体Ｄに、その左右両側から後方へ向けて延長部分１４，１４を連設したものである。
【００４７】
軸心（中央）を通る面で縦に割る前の状態にある壜タイプの容器に対応する形状の部材の横断面として形成される直径ｄなる円Ｃを、角度３分の１（＝１２０°）で左右対称にカットする線Ａ−Ａと、前記円Ｃに対して接し、かつ前後方向に延びる二つの接線１４ｓ，１４ｓとの交点１４ｔ，１４ｔを、前記延長部分１４の先端として決定するのが最適である。
【００４８】
上記の構成からなる見本体Ｄ6 は、真空成形または圧空成形によって成形することができ、トムソン法により打ち抜きが可能であるので、壜タイプの容器のような複雑な形状の見本体でも簡単に、かつ能率良く成形することができる。
【００４９】
上記の構成からなる見本体Ｄ6 は、その左右方向の幅を細くするように変形させた後、前記挿入部５を開口３’内に挿入することで展示部３に設置できるが、このとき、前記延長部分１４，１４の下部には、内側への変形が残ることから、見本体Ｄ6 が設置状態にあるときは、常に、延長部分１４，１４は元の形状へ復元しようとする。そして、この延長部分１４，１４の復元力によって見本体Ｄ6 はより強い力でかつ確実に展示部３に固定され、また、延長部分１４，１４がそれぞれ左右方向に開こうとすることによって、見本体Ｄ6 は常に前側に付勢され、前記開口３’の形状が図６（Ａ）に示すようなものであっても、見本体Ｄ6 は安定した状態で設置されることになる。
【００５０】
なお、前記見本体Ｄ6 は、壜タイプの容器に対応する形状の部材を、その軸心（中央）を通る面で縦に割り、後側の部分を切り落とした形状とすることで形成した第一実施例の見本体Ｄに、その左右両側から後方へ向けて延長される延長部分１４，１４を連設したものに限るものではなく、壜タイプの容器に対応する形状の部材を、その軸心（中央）よりも前側よりの面で縦に割り、後側の部分を切り落とした形状とした第一実施例の見本体Ｄに、その左右両側から後方へ向けて延長部分１４，１４を連設したものであってもよい。
【００５１】
図１２（Ａ）および（Ｂ）は、第六参考例に係る見本体Ｄ7 の構成を概略的に示す斜視図および横断面図である。なお、上記全ての参考例に示したものと同一構造の部材には、同じ符号を付し、その説明を省略する。
見本体Ｄ7 は、上記第一参考例の見本体Ｄと比べて、後側が開放されておらず、閉塞されている点で異なる。
【００５２】
すなわち、前記見本体Ｄ7 は、蓋（上壁部）および底（下壁部）を有する上記第一参考例の見本体Ｄの背面に閉塞部１５を設けてなり、この閉塞部１５によって見本体Ｄの後側の開放が閉塞されている。
【００５３】
上記の構成からなる見本体Ｄ7 は、押出ブロー成形法によって成形することが可能であり、複雑な形状の見本体であっても効率良く生産することができる。
【図面の簡単な説明】
【００５４】
【図１】第一参考例に係る見本体が取り付けられる自動販売機の構成を概略的に示す斜視図である。
【図２】上記参考例の構成を概略的に示す斜視図である。
【図３】上記参考例の構成を概略的に示す縦断面図である。
【図４】上記参考例の構成を概略的に示す部分拡大斜視図である。
【図５】上記参考例における小径部分の外径と開口の内径との相関関係を概略的に示す説明図である。
【図６】（Ａ）は、上記参考例における開口の他の例を概略的に示す斜視図であり、（Ｂ）は、第三参考例における開口の他の例を概略的に示す斜視図である。
【図７】第二参考例に係る見本体の構成を概略的に示す部分拡大斜視図である。
【図８】第三参考例に係る見本体の構成を概略的に示す部分拡大斜視図である。
【図９】第四参考例に係る見本体の構成を概略的に示す部分拡大斜視図である。
【図１０】第五参考例に係る見本体の構成を概略的に示す部分拡大斜視図である。
【図１１】（Ａ）および（Ｂ）は、本発明の実施例に係る見本体の構成を概略的に示す説明図である。
【図１２】（Ａ）および（Ｂ）は、第六参考例に係る見本体の構成を概略的に示す斜視図および横断面図である。
【図１３】従来の見本体の構成を概略的に示す縦断面図である。
【図１４】従来の見本体の他の例の構成を概略的に示す斜視図である。
【符号の説明】
【００５５】
１    自動販売機
３    展示部
３’  開口
３ａ  架台部
５    挿入部
６    本体
７    係止部
Ｄ    見本体